(57)【要約】      （修正有）【課題】２線ケーブルを使用したドアホンシステムの利便性を向上させる事ができる配線装置を提供する事。【解決手段】配線装置４００は、２線ケーブル２１１を介して複数のドアホン機器を含むドアホンシステム２００と接続する、２線通信網接続部と、デジタル通信回線（３１１）を介してパケット通信ネットワーク３００と接続する、デジタル通信網接続部と、パケット通信ネットワーク３００から送られてきた第１のパケットを解析して、第１のパケットに格納された第１の情報を送信すべきドアホン機器を判定し、判定されたドアホン機器へアプリデータを送信する通信制御部と、を有する。【選択図】図１
2017201740.tif 000002
【特許請求の範囲】
【請求項１】
１つまたは複数の２線ケーブルを介して、複数のドアホン機器を含むドアホンシステムと接続する２線通信網接続部と、
デジタル通信回線を介して、パケット通信ネットワークと接続するデジタル通信網接続部と、
前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信する通信制御部と、を有する、
配線装置。
【請求項２】
前記パケット通信ネットワークは、複数のネットワーク機器を含み、
前記通信制御部は、
前記ドアホン機器から送られてきた第２のパケットを解析して、前記第２のパケットに格納された第２の情報を送信すべき前記ネットワーク機器を判定し、判定された前記ネットワーク機器へ前記第２の情報を送信する、
請求項１に記載の配線装置。
【請求項３】
前記２線通信網接続部は、
前記複数のドアホン機器のそれぞれとの間で、送信区間と受信区間とを時分割で切り替え、かつ、前記２線ケーブルの極性を周期的に反転させる事により前記２線ケーブルを使用したデジタル伝送を行う、
請求項２に記載の配線装置。
【請求項４】
前記第１のパケットは、前記第１の情報の宛先を記述し、
前記２線通信網接続部は、
前記複数の２線ケーブルのそれぞれに個別に接続し、
前記通信制御部は、
前記２線ケーブル毎に前記２線ケーブルを使用した通信を制御して、前記第１の情報を、前記第１の情報の前記宛先に接続された前記２線ケーブルへと送出する、
請求項３に記載の配線装置。
【請求項５】
前記第１のパケットは、イーサネットパケットであり、
前記通信制御部は、
前記第１のパケットのデータ領域が所定のフォーマットのアプリヘッダ領域およびアプリデータ領域から構成されるとき、前記アプリデータ領域の情報を、前記第１の情報として、前記アプリヘッダ領域が示す宛先に接続された前記２線ケーブルへ送出する、
請求項４に記載の配線装置。
【請求項６】
前記通信制御部は、
前記第２の情報に対応して、所定のフォーマットのアプリヘッダ領域およびアプリデータ領域をデータ領域に格納したイーサネットパケットを生成して前記デジタル通信回線へ送出し、前記アプリヘッダ領域に、前記第２の情報の送信元を示す情報を記述し、前記アプリデータ領域に、前記第２の情報を格納する、
請求項４に記載の配線装置。
【請求項７】
前記通信制御部は、
前記第２のパケットの受信が前記複数の２線ケーブルの間において時分割で行われるように、前記２線ケーブルを使用した通信を制御する、
請求項４に記載の配線装置。
【請求項８】
前記通信制御部は、
前記２線ケーブル毎に設けられ、前記第１の情報の送信および前記第２のパケットの受信を行う複数の２線通信制御部と、
前記第１のパケットの受信および前記第２の情報の送信を行うデジタル通信制御部と、
前記複数の２線通信制御部と前記デジタル通信制御部との間における、前記第１の情報および前記第２の情報の転送を制御する通信管理部と、を有する、
請求項４に記載の配線装置。
【請求項９】
前記２線通信網接続部は、
前記２線ケーブル毎に、送信ドライバおよび受信ドライバを有し、
前記通信制御部は、
前記送信ドライバの動作および前記受信ドライバの動作を制御する、
請求項４に記載の配線装置。
【請求項１０】
前記２線通信網接続部は、
前記２線ケーブルを介して送られてきた受信信号に、前記２線ケーブルが正接続となっている場合に前記受信信号から抽出されるシンクパターンである正接続チェック用シンクパターンが含まれているか否か、および／または、前記受信信号に、前記２線ケーブルが逆接続となっている場合に前記受信信号から抽出されるシンクパターンである逆接続チェック用シンクパターンが含まれているか否か、の判定を行い、前記判定の結果に応じて、前記判定の後に前記２線ケーブルを介して送られてきた受信信号に対する反転処理、および／または、前記判定の後に前記２線ケーブルに送出する送信信号に対する反転処理、を行う、
請求項３に記載の配線装置。
【請求項１１】
１つまたは複数の２線ケーブルを介して、複数のドアホン機器を含むドアホンシステムと接続する配線装置における通信制御方法であって、
デジタル通信回線を介して、パケット通信ネットワークと接続するステップと、
前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信するステップと、を有する、
通信制御方法。
【発明の詳細な説明】
【技術分野】
【０００１】
本開示は、ドアホンシステムと接続する配線装置および当該配線装置における通信制御方法に関する。
【背景技術】
【０００２】
近年、玄関子機にカメラを搭載し、玄関子機とドアホン親機とを２線ケーブルで接続し、玄関の音声だけでなく映像についても室内のドアホン親機から確認する事ができるドアホンシステムが普及している。
【０００３】
ところが、これら現在普及しているドアホンシステムの多くは、２線ケーブルを使用したアナログ通信を行っている。このため、伝送路の特性による波形歪あるいは減衰等により、様々な環境下において、高品質の映像等を伝送する事が難しい。また、アナログ通信の場合、受信側で信号をデジタル化して画像処理して表示する場合など、アナログ信号をデジタルデータへ変換する機能が必要で、その際の画質の劣化が生じる事も考えられる。
【０００４】
そこで、２線ケーブルを使用して玄関子機とドアホン親機との間でデジタル通信を行う技術が提案されている（例えば、特許文献１参照）。かかる技術によれば、デジタル通信方式の高品質の映像データ等を、既設の安価な２線ケーブルを使用して送受信する事ができる。このため、既存のアナログ通信方式のドアホンシステムを、より簡単にグレードアップする事ができ、更に、新規に配線を敷設する場合に比べてコスト面でも有利である。
【先行技術文献】
【特許文献】
【０００５】
【特許文献１】特開２００７−１２４２２７号公報
【発明の概要】
【発明が解決しようとする課題】
【０００６】
ところで、集合住宅用のアナログ方式のインターホンシステムにおいては、従来、ロビー（共用玄関）に設置された玄関子機（ロビーステーション）と各住戸のドアホン機器とを、配線装置を介してアナログ通信方式で接続することが行われている。かかる配線装置を外部のデジタル通信回線に接続することができれば、各住戸から配線装置を介してインターネットに接続できる等、ドアホンシステムの利便性を向上させることができる。しかしながら、そのような配線装置についての検討は十分に為されていない。しかしながら、そのような配線装置についての検討は十分に為されていない。
【０００７】
本開示の目的は、２線ケーブルを使用したドアホンシステムの利便性を向上させる事ができる配線装置および通信制御方法を提供する事である。
【課題を解決するための手段】
【０００８】
本開示の配線装置は、１つまたは複数の２線ケーブルを介して、複数のドアホン機器を含むドアホンシステムと接続する２線通信網接続部と、デジタル通信回線を介して、パケット通信ネットワークと接続するデジタル通信網接続部と、前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信する通信制御部と、を有する。
【０００９】
本開示の通信制御方法は、１つまたは複数の２線ケーブルを介して、複数のドアホン機器を含むドアホンシステムと接続する配線装置における通信制御方法であって、デジタル通信回線を介して、パケット通信ネットワークと接続するステップと、前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信するステップと、を有する。
【発明の効果】
【００１０】
本開示によれば、２線ケーブルを使用したドアホンシステムの利便性を向上させる事ができる。
【図面の簡単な説明】
【００１１】
【図１】本開示の一実施の形態に係る通信システムの構成の一例を示すシステム構成図
【図２】本実施の形態に係るドアホンシステムにおける伝送信号の構成の一例を示す図
【図３】本実施の形態におけるイーサフレームの構成の一例を示す図
【図４】本実施の形態に係る配線装置の構成の一例を示すブロック図
【図５】本実施の形態におけるドアホン機器情報テーブルの一例を示す図
【図６】本実施の形態におけるネットワーク機器情報テーブルの一例を示す図
【図７】本実施の形態におけるルーティング制御部の構成の一例を示す図
【図８】本実施の形態におけるドアホン機器の構成の一例を示すブロック図
【図９】本実施の形態における２線ケーブルが正接続の場合の様子を示す模式図
【図１０】本実施の形態における２線ケーブルが逆接続の場合の様子を示す第１の模式図
【図１１】本実施の形態における２線ケーブルが逆接続の場合の様子を示す第２の模式図
【図１２】本実施の形態における２線ケーブルが正接続の場合の様子を示す第３の模式図
【図１３】本実施の形態における２線ケーブルが正接続の場合の様子を示す第４の模式図
【図１４】本実施の形態に係る配線装置の動作の一例を示すフローチャート
【図１５】本実施の形態に係る配線装置の構成の他の一例を示すブロック図
【図１６】本実施の形態に係る通信システムの構成の他の一例を示すシステム構成図
【発明を実施するための形態】
【００１２】
以下、本開示の一実施の形態について、図面を参照して詳細に説明する。
【００１３】
＜システムの概要＞
まず、本開示の一実施の形態に係る配線装置が使用される通信システムの概要について説明する。
【００１４】
図１は、本実施の形態に係る配線装置が使用される通信システムの構成の一例を示すシステム構成図である。
【００１５】
図１に示すように、通信システム１００は、ドアホンシステム２００、パケット通信ネットワーク３００、および配線装置４００を有している。
【００１６】
ドアホンシステム２００は、Ｎ個の住戸を有する集合住宅に敷設されたドアホン設備である。ドアホンシステム２００は、第１〜第Ｎのドアホン親機２１０１〜２１０Ｎおよび第１〜第Ｎの玄関子機２２０１〜２２０Ｎを含む。
【００１７】
第ｎ（ｎ＝１,２,・・・，Ｎ）の住戸において、玄関先に設置された第ｎの玄関子機２２０ｎは、２線ケーブル２２１ｎにより、住戸内に設置された第ｎのドアホン親機２１０ｎに接続されている。第ｎの玄関子機２２０ｎおよび第ｎのドアホン親機２１０ｎは、２線ケーブル２２１ｎ使用して、時分割複信によるパケット信号の送受信を行う。
【００１８】
各玄関子機２２０は、キースイッチ、カメラ、マイクロフォン、およびスピーカ等のユーザインタフェースを備えている。各ドアホン親機２１０は、タッチパネル付き液晶ディスプレイ、キースイッチ、マイクロフォン、およびスピーカ等のユーザインタフェースを備えている。
【００１９】
なお、以下の説明において、ドアホン親機２１０および玄関子機２２０は、適宜、「ドアホン機器」と称する。
【００２０】
パケット通信ネットワーク３００は、上述の集合住宅の建物内に設置された、スイッチングハブ３１０、ロビーステーション３２０、管理人用電話機３３０、および内部管理装置３４０を有している。また、パケット通信ネットワーク３００は、集合住宅の管理会社に設置された、外部管理装置３５０を有している。
【００２１】
ロビーステーション３２０、管理人用電話機３３０、および内部管理装置３４０は、ＬＡＮ（Local Area Network）ケーブル３２１、３３１、３４１を介して、スイッチングハブ３１０に接続されている。ロビーステーション３２０、管理人用電話機３３０、内部管理装置３４０、およびＬＡＮケーブル３２１、３３１、３４１は、デジタル通信回線の一種であるＬＡＮを形成している。また、外部管理装置３５０は、インターネット３５１を介し、ルータ３５２を経由して、スイッチングハブ３１０に接続されている。
【００２２】
ロビーステーション３２０は、キースイッチ、カメラ、マイクロフォン、およびスピーカ等のユーザインタフェースを備えている。管理人用電話機３３０は、キースイッチ、マイクロフォン、およびスピーカ等のユーザインタフェースを備えている。内部管理装置３４０および外部管理装置３５０は、それぞれ、キーボード、マウス、マイクロフォン、スピーカ、および液晶ディスプレイ等のユーザインタフェースを備えている。
【００２３】
なお、以下の説明において、スイッチングハブ３１０、ロビーステーション３２０、管理人用電話機３３０、内部管理装置３４０、ルータ３５２、および外部管理装置３５０は、適宜、「ネットワーク機器」と称する。
【００２４】
配線装置４００は、上述の集合住宅内（例えば管理人室）に設置された、ドアホンシステム２００を使用した住戸間の通信、および、ドアホンシステム２００とパケット通信ネットワーク３００との間の通信を制御する通信設備である。配線装置４００は、第１〜第Ｎの２線ケーブル２１１１〜２１１Ｎを介して、第１〜第Ｎのドアホン親機２１０１〜２１０Ｎに個別に接続している。また、配線装置４００は、ＬＡＮケーブル３１１を介して、スイッチングハブ３１０に接続している。
【００２５】
配線装置４００は、第ｎのドアホン親機２１０ｎとの間で、第ｎの２線ケーブル２１１ｎを使用して、時分割複信によるパケット信号（以下「ドアホンパケット」という）の送受信を行う。
【００２６】
各ドアホンパケットには、映像データや音声データ等のデータ本体（以下「ドアホンデータ」という）が格納されている。また、各ドアホンパケットには、当該ドアホンパケットの送信元のドアホン機器における相手先指定の操作等に基づき、ドアホンパケットの送信元および宛先を示す制御情報が付与されている。また、ドアホンパケットは、例えば、他の住戸との通話接続の開始を要求する割り込み信号や、開始された通話における音声データを含む。
【００２７】
配線装置４００は、受信したドアホンパケットに付与された制御情報が、いずれかのドアホン機器を宛先として示すとき、その宛先のドアホン機器へと通じる２線ケーブル２１１へと受信したドアホンパケットを送出する。
【００２８】
すなわち、配線装置４００は、例えば矢印１０１に示すようにドアホンデータをドアホン親機２１０間で転送する事により、集合住宅内の内線通話を実現する。
【００２９】
また、配線装置４００は、スイッチングハブ３１０との間で、ＬＡＮケーブル３１１を介してイーサネット（登録商標）フレーム（以下、「イーサフレーム」という）の送受信を行う。各イーサフレームには、当該イーサフレームが格納するデータの送信元の機器における相手先指定の操作等に基づき、ヘッダ部分に、データの送信元および宛先が記述されている。配線装置４００は、イーサフレームの宛先が配線装置４００であるとき、当該イーサフレームを受信し、格納されたデータを抽出する。
【００３０】
配線装置４００は、スイッチングハブ３１０から（パケット通信ネットワークから）受信したイーサフレーム（第１のパケット）を解析して、イーサフレームに格納されたデータ（第１の情報）を送信すべきドアホン機器を判定する。そして、配線装置４００は、データを送信すべきドアホン機器が判定されたとき、その判定されたドアホン機器へデータを送信する。
【００３１】
そして、配線装置４００は、ドアホン機器から送られてきたドアホンパケット（第２の情報）を解析して、ドアホンパケットを送信すべきネットワーク機器を判定する。配線装置４００は、かかる判定を、例えば、送信元のドアホン機器における相手先指定の操作等に基づいてドアホンパケットに付与された、当該ドアホンパケットによる送受信の対象となる情報の種別（以下「情報種別」という）に基づいて行う。かかる情報種別には、例えば、「共用玄関との通話」、「管理人室との通話」、「管理人室との情報通信」、「管理会社への警報」、「ドアホンシステム内通信」等が含まれる。
【００３２】
そして、配線装置４００は、ドアホンパケットを送信すべきネットワーク機器が判定されたとき、その判定されたネットワーク機器を宛先とし、ドアホンデータを格納したイーサフレームを生成して、ＬＡＮケーブル３１１へ送出する。
【００３３】
すなわち、配線装置４００は、ドアホンシステム２００とパケット通信ネットワーク３００と間の一種のスイッチングハブとして機能し、例えば矢印１０１に示すように、ドアホン機器とネットワーク機器との間で通信の中継（データの転送）を行う。
【００３４】
なお、配線装置４００の電源の供給は、商用電源から受けてもよいし、ＬＡＮケーブル３１１を使用したＰｏＥ（Power over Ethernet）によりスイッチングハブ３１０から受けてもよい。
【００３５】
このような通信システム１００では、例えば、各ドアホン親機２１０とロビーステーション３２０あるいは管理人用電話機３３０との間の通話が可能となる。また、例えば、ドアホン親機２１０同士による内線通話、内部管理装置３４０あるいはドアホン親機２１０から各住戸への一斉同報通信が可能となる。また、かかる通信システム１００は、各住戸の玄関子機２２０を、配線装置４００に直接接続していないため、２線ケーブルの配線コスト、メンテナンスコスト、および配線スペースを低減する事ができる。
【００３６】
なお、本実施の形態において、玄関子機２２０とドアホン親機２１０との間、およびドアホン親機２１０と配線装置４００との間は、上述の通り、２線ケーブル２１１、２２１により接続されている。２線ケーブルを使用してデジタル通信を行う場合、２線ケーブルは、送信側が「１」を示す信号を送信したときに、受信側がかかる信号を「１」として受信するような接続状態、つまり、正接続の状態となっている必要がある。
【００３７】
ところが、逆接続を確実に防止するには、多くの労力を要し、２線ケーブルを配線する際の作業効率を著しく低下させる。
【００３８】
そこで、本実施の形態に係る通信システム１００では、配線装置４００、ドアホン親機２１０、および玄関子機２２０のうち少なくとも１つが、２線ケーブルが正接続となっているか否か（逆接続となっているか否か）を判定し、判定結果に応じて受信信号／送信信号を反転させる。これにより、通信システム１００は、２線ケーブルによる接続を実質的に無極性化することができ、２線ケーブルの接続状態に影響されないデジタル通信を実現する。かかる無極性化の仕組みの詳細については、後述する。
【００３９】
＜データ構成＞
ここで、ドアホンシステム２００およびパケット通信ネットワーク３００において伝送されるデータの構成について説明する。
【００４０】
図２は、ドアホンシステム２００において伝送される信号（以下「ドアホン信号」という）の構成の一例を示す図である。
【００４１】
図２に示すように、ドアホン信号５１０は、複数のデータフレーム５１１で構成される。各データフレーム５１１は、４８０００ｂｉｔｓの領域を有し、１０ｍｓ周期、４.８Ｍｂｐｓのビットレートであり、２４タイムスロット５１２に分割される。したがって、各タイムスロット５１２は、２０００ｂｉｔｓ＝２５０ｂｙｔｅｓの領域を有し、０.４１６ｍｓ周期、４.８Ｍｂｐｓのビットレートになる。
【００４２】
各タイムスロット５１２は、５２ｂｙｔｅのガードスペース（Guard）、４ｂｙｔｅのプリアンブルフィールド、２ｂｙｔｅのシンクフィールド（Sync）、３２ｂｙｔｅの制御データフィールド、１６０ｂｙｔｅのユーザデータフィールドに分けられている。
【００４３】
ガードスペースは、伝播遅延時間差やクロックジッタ等によるタイムスロットの衝突を避けるための時間である。プリアンブルフィールドには、所定のユニークパターンを有するプリアンブルデータ（後述）が付加される。シンクフィールドには、所定のシンクパターンが付加される。制御データフィールドには、後続のユーザデータフィールドに格納されたデータ（スロットの情報）の送信元、宛先、および情報種別等を示す制御データが付加される。ユーザデータフィールドには、画像データおよび音声データが付加される。かかる画像データおよび音声データは、例えば、玄関子機２２０で取得された画像データおよび音声データである。
【００４４】
すなわち、タイムスロット５１２は、２線ケーブル２１１、２２１を使用した情報の送受信の単位であって、上述のドアホンパケットである。
【００４５】
図３は、イーサフレームの構成の一例を示す図である。
【００４６】
図３に示すように、イーサフレーム５２０は、ＳＦＤ（Start Frame Delimiter）を含むプリアンブル５２１、ＭＡＣヘッダ（Media Access Control Header）５２２、ＩＰヘッダ（Internet Protocol Header）５２３、ＴＣＰ／ＵＤＰヘッダ（Transmission Control Protocol/User Datagram Protocol Header）５２４、データ領域５２５、およびＦＣＳ（Frame Check Sequence）５２６から成る。 
【００４７】
但し、本実施の形態において、イーサフレーム５２０のデータ領域５２５は、例えば、２０バイト（ｂｙｔｅ）のアプリヘッダ領域５２７と、最大１４４０バイトのアプリデータ領域５２８とから成る、所定のフォーマットのアプリパケットとなっている。
【００４８】
アプリヘッダ領域５２７は、アプリデータ領域５２８に格納されたデータ（以下「アプリデータ」という）の宛先（８ｂｙｔｅ）、アプリデータの送信元（８ｂｙｔｅ）、アプリデータのデータ種別（２ｂｙｔｅ）、およびアプリデータのデータ長（２ｂｙｔｅ）を記述するための領域である。
【００４９】
アプリデータ領域５２８は、ネットワーク機器が送信するデータや、ドアホン機器が送信するデータを、各機器のアプリケーションソフトウェア（以下「機器アプリ」という）が処理の対象とするアプリデータとして格納するための領域である。
【００５０】
なお、機器アプリは、各ネットワーク機器に予め搭載されたものであり、配線装置４００との間でドアホンシステム２００に関する情報（映像データおよび音声データを含む）をやり取りするためのソフトウェアである。機器アプリは、配線装置４００から受信したアプリパケットの情報種別および格納されたアプリデータに応じて、映像出力や音声出力等の所定の処理を行うと共に、配線装置４００を介してドアホン機器に対し映像出力や音声出力を指示するアプリパケットを、生成して送信する。機器アプリは、例えば、ＳＩＰ（Session Initiation Protocol）を利用したＩＰ電話アプリである。
【００５１】
なお、上記所定のフォーマット、および、上記所定のフォーマットにおいてアプリデータの宛先および送信元を指定するのに使用される各機器の識別情報（例えば、一意に決めた番号）は、通信システム１００において予め共有されている。また、上記所定のフォーマットにおいて、画像、音声、コマンド等のアプリデータのデータ種別を示すのに使用される識別情報（例えば、一意に決めた番号）についても、通信システム１００において予め共有されている。
【００５２】
すなわち、アプリヘッダ領域５２７からは、例えば、アプリデータ領域５２８に格納されたアプリデータが、「外部管理装置３５０から第１のドアホン親機２１０１に向けて送信された、１２８０ｂｙｔｅの画像データ」であるという事が分かる。
【００５３】
なお、配線装置４００は、受信したイーサフレーム５２０を順次分解し、アプリヘッダ領域５２７とアプリデータ領域５２８を抽出し、アプリヘッダ領域５２７が示す宛先のドアホン機器を特定する。そして、配線装置４００は、アプリデータ領域５２８のアプリデータを、１つのドアホンパケットのユーザデータ領域に載せて、あるいは、複数のドアホンパケットのユーザデータ領域に分割して載せて、その宛先のドアホン機器に接続された２線ケーブル２１１へ送出する。
【００５４】
また、配線装置４００は、受信したドアホンパケットが格納するドアホンデータの宛先が、ネットワーク機器であるか否かを判定する。配線装置４００は、宛先がネットワーク機器であるとき、データの送信元を示すアプリヘッダ領域５２７とアプリデータを格納したアプリデータ領域５２８とをデータ領域５２５に格納した、イーサフレーム５２０を生成する。そして、配線装置４００は、ＬＡＮケーブル３１１へ送出する。
【００５５】
＜装置の構成＞
次に、各装置の構成について説明する。
【００５６】
図４は、配線装置４００の構成の一例を示すブロック図である。
【００５７】
図４に示すように、配線装置４００は、２線ケーブル接続部４１１、受信ドライバ４１２、ルーティング制御部４１３、受信データ処理部４１４、送信データ処理部４１５、送信データ反転部４１６、および送信ドライバ４１７を有している。なお、配線装置４００は、２線ケーブル接続部４１１、受信ドライバ４１２、送信データ反転部４１６、および送信ドライバ４１７から成る組を、第１〜第Ｎの２線ケーブル２１１１〜２１１Ｎ（図１参照）に対応して、Ｎ個有している。また、配線装置４００は、２線通信制御部４２０を有している。２線通信制御部４２０は、第１クロック生成部４２１、ドアホンパケット処理部４２２、接続状態検出部４２３、アプリデータ生成部４２４、アプリデータバス４２５、アプリデータ再生部４２６、およびドアホンパケット生成部４２７を有している。
【００５８】
以上の２線ケーブル接続部４１１〜ドアホンパケット生成部４２７は、主に、ドアホンシステム２００側におけるドアホンパケットの送受信を行うための機能部である。
【００５９】
また、配線装置４００は、ＬＡＮケーブル接続部４３１、ＬＡＮ送受信ドライバ４３２、イーサネット（登録商標）ＰＨＹ部（以下、適宜「イーサＰＨＹ部」と表す）４３３、およびデジタル通信制御部４４０を有している。デジタル通信制御部４４０は、イーサネット（登録商標）ＭＡＣ部（以下、適宜「イーサＭＡＣ部」と表す）４４１およびＬＡＮデータ処理部４４２を有している。
【００６０】
以上のＬＡＮケーブル接続部４３１〜ＬＡＮデータ処理部４４２は、主に、パケット通信ネットワーク３００側におけるイーサフレームの送受信を行うための機能部である。
【００６１】
そして、配線装置４００は、通信管理部４５０を有している。
【００６２】
２線ケーブル接続部４１１は、２線ケーブル用の接続端子を含み、２線ケーブル２１１の配線装置４００側の一端と、受信ドライバ４１２および送信ドライバ４１７との間を、信号を伝送可能な状態で接続する。
【００６３】
受信ドライバ４１２は、ドアホン親機２１０から２線ケーブル２１１を介して送られてきた信号を、２線ケーブル接続部４１１を介して受信する。そして、受信ドライバ４１２は、２線通信制御部４２０から出力される後述の切り替え制御信号（ＳＷ  ＣＯＮ）により指示された受信区間において、受信した信号を、ルーティング制御部４１３へ出力する。
【００６４】
ルーティング制御部４１３は、受信ドライバ４１２から出力された受信信号を、ドアホン機器を宛先とするものである場合には対応する送信ドライバ４１７へ、ネットワーク機器を宛先とするものである場合には受信データ処理部４１４へ出力する。また、ルーティング制御部４１３は、送信データ処理部４１５から出力された後述の送信信号を、その宛先のドアホン機器に対応する送信データ反転部４１６へ出力する。なお、ルーティング制御部４１３は、２線通信制御部４２０から出力される後述の切り替え制御信号（ＳＷ  ＣＯＮ）に従って動作する事により、かかる信号のルーティングを行う。
【００６５】
受信データ処理部４１４は、ルーティング制御部４１３から出力された受信信号をデコードし、ドアホンパケット処理部４２２へ出力する（Decoded DATA）。なお、受信データ処理部４１４は、図示しないが、同期検出部および第２クロック生成部を有している。
【００６６】
同期検出部は、第１クロック生成部４２１から出力された後述の第１周波数のクロック（ＣＬＫ）を使用して、受信信号に含まれるプリアンブルデータを用いて受信信号の送信元（ドアホン親機２１０）との同期（受信信号の各ビットの先頭のタイミング）を検出する。そして、同期検出部は、プリアンブルデータのユニークパターンを検出したタイミングで、クロック出力開始の基準となるトリガ信号を第２クロック生成部へ出力し、データ再生動作を許可するイネーブル信号（ＳＳＣＳ）をドアホンパケット処理部４２２へ出力する。
【００６７】
第２クロック生成部は、受信信号のビットレートに対応する第２周波数（例えば、４.８ＭＨｚ）のクロック（ＳＳＣＫ）を生成し、ドアホンパケット処理部４２２へ出力する。第２クロック生成部は、かかる第２周波数のクロックの生成を、同期検出部から指示されたタイミングで、第１クロック生成部４２１から出力された後述の第１周波数のクロック（ＣＬＫ）を基準にして行う。
【００６８】
なお、受信データ処理部４１４は、２線通信制御部４２０から出力される後述のＳＰＩ−ＲＷ信号により指定されたタイミング（受信モード）において、動作する。
【００６９】
送信データ処理部４１５は、ドアホンパケット生成部４２７から出力されたドアホンパケットに対して、同じくドアホンパケット生成部４２７から出力された後述のイネーブル信号（ＳＳＣＳ）および第２周波数のクロック（ＳＳＣＫ）に基づいて変調処理(エンコード)を行う。そして、送信データ処理部４１５は、かかる変調処理により得られた信号を、送信信号としてルーティング制御部４１３へ出力する。
【００７０】
なお、送信データ処理部４１５は、２線通信制御部４２０から出力される後述のＳＰＩ−ＲＷ信号により指定されたタイミング（送信モード）において、動作する。
【００７１】
送信データ反転部４１６は、接続状態検出部４２３から出力された後述の反転制御信号（ＩＮＶ  ＣＯＮ）に従って、ルーティング制御部４１３から出力された送信信号を反転させて／反転させずに、送信ドライバ４１７へ出力する。
【００７２】
送信ドライバ４１７は、２線通信制御部４２０からの切り替え制御信号（ＳＷ  ＣＯＮ）によって指示された送信区間において、送信信号を、２線ケーブル接続部４１１を介して２線ケーブル２１１へ送出する。
【００７３】
２線通信制御部４２０は、配線装置４００のドアホンシステム２００側の各部の制御を行う。また、２線通信制御部４２０は、送信を許可する送信区間、および、受信を許可する受信区間を指示する切り替え制御信号（ＳＷ  ＣＯＮ）を、各送信ドライバ４１７、各受信ドライバ４１２、およびルーティング制御部４１３へ出力する。
【００７４】
第１クロック生成部４２１は、水晶発振を基準に、受信信号のビットレートのｎ倍に対応する第１周波数（例えば、４８ＭＨｚ（ｎ＝１０））のクロック（ＣＬＫ）を生成し、受信データ処理部４１４へ出力する。なお、かかるクロックは、受信信号をサンプリングするためのクロックである。
【００７５】
ドアホンパケット処理部４２２は、受信データ処理部４１４から出力された受信信号（Decoded DATA）に対して、同じく受信データ処理部４１４から出力されたイネーブル信号（ＳＳＣＳ）および第２周波数のクロック（ＳＳＣＫ）に基づいて、復調処理を行う。そして、ドアホンパケット処理部４２２は、かかる復調処理により得られたドアホンパケットから、ユーザデータを抽出して、アプリデータ生成部４２４へ出力すると共に、当該ドアホンパケットの情報種別を、アプリデータ生成部４２４へ通知する。
【００７６】
また、ドアホンパケット処理部４２２は、ドアホンパケットに含まれる上述のシンクパターンを、接続状態検出部４２３へ出力する。
【００７７】
接続状態検出部４２３は、２線ケーブル接続部４１１毎に、ドアホンパケット処理部４２２から出力されたシンクパターンを、予め記憶した正接続チェック用シンクパターンおよび逆接続チェック用シンクパターンのそれぞれと照合する。
【００７８】
ここで、正接続チェック用シンクパターンとは、２線ケーブル２１１が正接続となっている場合にドアホンパケットから抽出されるシンクパターンである。そして、逆接続チェック用シンクパターンとは、２線ケーブル２１１が逆接続となっている場合にドアホンパケットから抽出されるシンクパターンである。
【００７９】
なお、正接続とは、２線ケーブル接続部４１１と対応するドアホン親機２１０との間で、２線ケーブル２１１を構成する２つの線が、所定の対応関係で接続されている状態を示す。また、逆接続とは、２線ケーブル接続部４１１と対応するドアホン親機２１０との間で、２線ケーブル２１１を構成する２つの線が、所定の対応関係とは逆の対応関係で接続されている状態を示す。
【００８０】
なお、正接続チェック用シンクパターンおよび逆接続チェック用シンクパターンは、各ドアホン機器および配線装置４００の間で、予め共有されている。
【００８１】
接続状態検出部４２３は、受信信号のシンクパターンと正接続チェック用シンクパターンが完全に一致した場合、対応する２線ケーブル２１１が正接続であると判定する。また、接続状態検出部４２３は、受信データのシンクパターンと逆接続チェック用シンクパターンが完全に一致した場合、対応する２線ケーブル２１１が逆接続であると判定する。そして、接続状態検出部４２３は、判定結果を示す反転制御信号（ＩＮＶ  ＣＯＮ）を、送信データ反転部４１６へ出力する。
【００８２】
具体的には、接続状態検出部４２３は、逆接続であると判定された２線ケーブル２１１が存在するとき、ルーティング制御部４１３から出力された送信信号のうち当該２線ケーブル２１１に送出される送信信号を反転させるよう、送信データ反転部４１６を制御する。すなわち、接続状態検出部４２３は、２線ケーブル２１１が逆接続となっていても、正規の極性で信号が送信されるように、データ処理を行う。
【００８３】
アプリデータ生成部４２４は、ドアホンパケット処理部４２２から出力されたデータにアプリヘッダを付加したアプリパケットを生成し、アプリデータバス４２５を介してＬＡＮデータ処理部４４２およびアプリデータ再生部４２６へ出力する。
【００８４】
具体的には、アプリデータ生成部４２４は、ドアホンデータをアプリデータ領域５２８に格納し、ドアホンパケットの情報種別に対応したネットワーク機器および機器アプリを宛先としてアプリヘッダ領域５２７に記述した、アプリパケットを生成する（図３参照）。すなわち、アプリデータ生成部４２４は、ドアホンデータにアプリヘッダを付加する。そして、アプリデータ生成部４２４は、生成されたアプリパケットを、アプリデータバス４２５へ出力する。
【００８５】
なお、ドアホンシステム２００内での情報転送を、後述のようにルーティング制御部４１３内で行う場合、アプリデータ生成部４２４は、アプリパケットをアプリデータ再生部４２６へ出力しなくてもよい。
【００８６】
アプリデータバス４２５は、アプリデータ生成部４２４、ＬＡＮデータ処理部４４２、およびアプリデータ再生部４２６の間を接続する、デジタル信号の伝送路である。
【００８７】
ＬＡＮデータ処理部４４２は、アプリデータ生成部４２４からアプリパケットを受け取ったとき、当該アプリパケットを格納したＩＰパケット（図３のＩＰヘッダ５２３〜データ領域５２５の部分）を生成して、イーサＭＡＣ部４４１へ出力する（図３参照）。
【００８８】
具体的には、ＬＡＮデータ処理部４４２は、アプリパケットをデータ領域５２５に格納し、アプリパケットの宛先のネットワーク機器のＩＰアドレスおよびポートをＩＰヘッダ５２３およびＴＣＰ／ＵＤＰヘッダ５２４に記述した、ＩＰパケットを生成する。なお、当該ＩＰパケットには、送信元のＩＰアドレスとして、配線装置４００のＩＰアドレスが記述される。
【００８９】
また、ＬＡＮデータ処理部４４２は、イーサＭＡＣ部４４１から配線装置４００のＩＰアドレスを宛先とするＩＰパケットを受け取ったとき、当該ＩＰパケットに格納されたアプリパケットを抽出する。そして、ＬＡＮデータ処理部４４２は、得られたアプリパケットを、アプリデータバス４２５を介してアプリデータ再生部４２６へ出力する。
【００９０】
イーサＭＡＣ部４４１は、ＬＡＮデータ処理部４４２からＩＰパケットを受け取ったとき、当該ＩＰパケットに、宛先のネットワーク機器のＭＡＣアドレスを含むＭＡＣヘッダ５２２を付与してＭＡＣフレーム（図３のＭＡＣヘッダ５２２〜データ領域５２５の部分）に変換する。そして、イーサＭＡＣ部４４１は、得られたＭＡＣフレームを、イーサＰＨＹ部４３３へ出力する。なお、当該ＭＡＣフレームには、送信元のＭＡＣアドレスとして、配線装置４００のＭＡＣアドレスが記述される。また、各ネットワーク機器のＭＡＣアドレスは、例えば、各ネットワーク機器との接続確定時に、通信管理部４５０によって予め認識される。
【００９１】
また、イーサＭＡＣ部４４１は、イーサＰＨＹ部４３３から配線装置４００のＭＡＣアドレスを宛先とするＭＡＣフレームを受け取ったとき、当該ＭＡＣフレームからＭＡＣヘッダ５２２を除去してＩＰパケットに変換し、ＬＡＮデータ処理部４４２へ出力する。
【００９２】
イーサＰＨＹ部４３３は、イーサＭＡＣ部４４１からＭＡＣフレームを受け取ったとき、当該ＭＡＣフレームにプリアンブル５２１およびＦＣＳ５２６を付与してイーサフレーム５２０（図３参照）に変換し、ＬＡＮ送受信ドライバ４３２へ出力する。
【００９３】
また、イーサＰＨＹ部４３３は、ＬＡＮ送受信ドライバ４３２からイーサフレーム５２０を受け取ったとき、当該イーサフレーム５２０からプリアンブル５２１およびＦＣＳ５２６を除去してＭＡＣフレームに変換し、イーサＭＡＣ部４４１へ出力する。
【００９４】
ＬＡＮ送受信ドライバ４３２は、イーサＰＨＹ部４３３からイーサフレーム５２０を受け取ったとき、当該イーサフレーム５２０を、ＬＡＮケーブル接続部４３１を介してＬＡＮケーブル３１１（図１参照)へ送出する。すなわち、ＬＡＮ送受信ドライバ４３２は、イーサフレーム５２０をその宛先のネットワーク機器へ送信する。
【００９５】
また、ＬＡＮ送受信ドライバ４３２は、ＬＡＮケーブル接続部４３１を介してＬＡＮケーブル３１１からイーサフレーム５２０が送られてきたとき、当該イーサフレーム５２０をイーサＰＨＹ部４３３へ渡す。すなわち、ＬＡＮ送受信ドライバ４３２は、配線装置４００を宛先とするイーサフレーム５２０を受信する。
【００９６】
ＬＡＮケーブル接続部４３１は、ＬＡＮケーブル用の接続端子を含み、ＬＡＮケーブル３１１の配線装置４００側の一端と、ＬＡＮ送受信ドライバ４３２との間を、信号を伝送可能な状態で接続する。
【００９７】
アプリデータ再生部４２６は、ＬＡＮデータ処理部４４２（あるいはアプリデータ生成部４２４）からアプリパケットを受け取ったとき、アプリヘッダ領域５２７をチェックしチェック結果を、通信管理部４５０へ通知する。そして、アプリデータ再生部４２６は、アプリデータ領域５２８に格納されたアプリデータを抽出（アプリヘッダ領域５２７を分離）してドアホンパケット生成部４２７へ出力する。この際、アプリデータ再生部４２６は、アプリヘッダ領域５２７が示す宛先のドアホン機器、データ種別、および長さ情報を、ドアホンパケット生成部４２７へ併せて通知する。
【００９８】
ドアホンパケット生成部４２７は、アプリデータ再生部４２６からデータを受け取ったとき、通知されたデータ種別および長さ情報に基づき、通知されたドアホン機器を宛先とするドアホンパケットを生成（再構築）する。
【００９９】
具体的には、ドアホンパケット生成部４２７は、アプリデータ再生部４２６から出力されたデータを、そのまま、あるいは、分割して、各タイムスロットのユーザデータフィールドに書き込み、制御データを各タイムスロットの制御データフィールドに書き込む。また、ドアホンパケット生成部４２７は、各タイムスロットに、プリアンブルデータ、シンクパターンを書き込み、ドアホンパケットを生成する。更に、ドアホンパケット生成部４２７は、送信用のイネーブル信号（ＳＳＣＳ）および送信用の第２周波数（例えば、４.８ＭＨｚ）のクロック（ＳＳＣＫ）を生成する。そして、ドアホンパケット生成部４２７は、ドアホンパケット（Transmit DATA）を、送信用のイネーブル信号（ＳＳＣＳ）およびクロック（ＳＳＣＫ）と同期させて、送信データ処理部４１５へ出力する。
【０１００】
なお、ドアホンパケット生成部４２７は、ドアホン機器の動作に関する制御データを、送信データ処理部４１５へ出力してもよい。
【０１０１】
通信管理部４５０は、アプリデータ再生部４２６からアプリデータの宛先のドアホン機器を示す情報を受け取ったとき、２線通信制御部４２０の制御端子（ＳＷ  ＣＯＮ）を、当該宛先のドアホン機器に送信できるように通信経路を設定する。なお、通信管理部４５０にとって、各送受信ドライバ（ＤＲＶ１〜ＤＲＶ＿Ｎ）の送受信設定は既知である。
【０１０２】
具体的には、通信管理部４５０は、情報種別と機器アプリおよびネットワーク機器とを対応付けたネットワーク機器情報テーブルを、予め保持している。そして、通信管理部４５０は、ネットワーク機器情報テーブルに基づいて、ドアホンパケット生成部４２７によるドアホンパケット生成処理、および、ＬＡＮデータ処理部４４２によるイーサフレーム生成処理を制御する。また、通信管理部４５０は、ドアホン機器との各受信ドライバ４１２および各送信ドライバ４１７の制御内容とを対応付けたドアホン機器情報テーブルを、予め保持している。そして、通信管理部４５０は、ドアホン機器情報テーブルに基づいて、アプリデータ生成部４２４によるアプリパケット生成処理、および、２線通信制御部４２０による切り替え制御信号（ＳＷ  ＣＯＮ）の出力を制御する。
【０１０３】
図５は、ドアホン機器情報テーブルの一例を示す図である。
【０１０４】
図５に示すように、ドアホン機器情報テーブル６１０は、宛先６１１毎に、ケーブル接続部６１２およびドライバ制御６１３を記述している。宛先６１１は、アプリパケットの宛先として指定され得るドアホン機器である。ケーブル接続部６１２は、宛先６１１のドアホン機器に接続されている２線ケーブル接続部４１１を示す情報である。ドライバ制御６１３は、２線ケーブル接続部４１１の受信ドライバ４１２および送信ドライバ４１７に対する制御の内容を示す情報である。
【０１０５】
例えば、「第１のドアホン機器」という宛先６１１に対応付けて、「第１の２線ケーブル接続部」というケーブル接続部６１２および「第１の送信ドライバをＯＮ」というドライバ制御６１３が記述されている。通信管理部４５０は、例えば、第１のドアホン機器を宛先とするアプリパケットが存在するとき、第１のドアホン機器を宛先とするドアホンパケットを、第１の送信ドライバ４１７１のみをＯＮとして第１の２線ケーブル接続部４１１１から送出するように、配線装置４００の各部を制御する。
【０１０６】
図６は、ネットワーク機器情報テーブルの一例を示す図である。
【０１０７】
図６に示すように、ネットワーク機器情報テーブル６２０は、情報種別６２１毎に、宛先の機器アプリ６２２および宛先のネットワーク機器６２３を記述している。情報種別６２１は、上述の通り、ドアホンパケットによる送受信の対象となる情報の種別である。宛先の機器アプリ６２２は、情報種別６２１のアプリパケットの宛先となる機器アプリあるいは配線装置４００内部の装置部である。宛先のネットワーク機器６２３は、情報種別６２１のアプリパケットの宛先となるネットワーク機器である。
【０１０８】
例えば、「共用玄関との通話」という情報種別６２１に対応付けて、「ロビーステーションの通話アプリ」という宛先の機器アプリ６２２および「ロビーステーション」という宛先のネットワーク機器６２３が記述されている。通信管理部４５０は、例えば、「共用玄関との通話」という情報種別のドアホンパケットをドアホン機器から受信したとき、ロビーステーション３２０の通話アプリを宛先とするアプリパケット、および、ロビーステーション３２０を宛先とするイーサフレームが生成されるように、配線装置４００の各部を制御する。
【０１０９】
なお、配線装置４００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路を有している。この場合、上記した各部の機能は、ＣＰＵが制御プログラムを実行する事により実現される。
【０１１０】
このような構成により、配線装置４００は、２線ケーブルを使用したドアホンシステム２００の各ドアホン機器と、ＬＡＮケーブルを使用したパケット通信ネットワーク３００の各ネットワーク機器との間で、情報の転送を機器単位で行う事ができる。
【０１１１】
＜ルーティング部の構成＞
ここで、ルーティング制御部４１３の構成について説明する。
【０１１２】
図７は、ルーティング制御部４１３の構成の一例を示す図である。なお、ルーティング部周辺の構成についても併せて図示している。
【０１１３】
図７において、ルーティング制御部４１３は、論理和回路（ＯＲ１）４６１およびスイッチ回路（ＳＷ１）４６２を有している。論理和回路４６１の入力側は、受信ドライバ４１２１〜４１２Ｎの出力側に接続されており、論理和回路４６１の出力側は、受信データ処理部４１４の入力側に接続されている。スイッチ回路４６２は、送信データ処理部４１５の出力側に接続された第１の接点（記号（１））と、論理和回路４６１の出力側（受信データ処理部４１４の入力側）に接続された第２の接点（記号（２））とを有している。また、スイッチ回路４６２は、送信データ反転部４１６１〜４１６Ｎの入力側に接続され、第１の接点（記号（１））および第２の接点（記号（２））に対して選択的に接続する共通端子（記号（３））を有している。
【０１１４】
スイッチ回路４６２の接続状態は、２線通信制御部４２０から出力される、受信モード／送信モードを示すＳＰＩ−ＲＷ信号により制御される。
【０１１５】
例えば、２線通信制御部４２０は、情報種別が「ドアホンシステム内通信」のドアホンパケットを受信した場合、当該ドアホンパケットの送信元と宛先との間でドアホンシステム２００内の通信を行うと判定する。そして、２線通信制御部４２０は、「受信モード」を示すＳＰＩ−ＲＷ信号をスイッチ回路４６２へ出力する。かかる信号を受けて、スイッチ回路４６２は、第２の接点（記号（２））を共通端子（記号（３））に接続させる。また、各受信ドライバ４１２および各送信ドライバ４１７の動作は、タイムスロット毎にドアホン機器単位で制御される。この結果、ルーティング制御部４１３の内部において（２線通信制御部４２０を経由せずに）、ドアホン機器間の通信の中継が行われる。
【０１１６】
また、例えば、２線通信制御部４２０は、デジタル通信制御部４４０から宛先をドアホン機器とするアプリパケットを受け取った場合、パケット通信ネットワーク３００からドアホンシステム２００へと情報の転送を行うと判定する。そして、２線通信制御部４２０は、「送信モード」を示すＳＰＩ−ＲＷ信号をスイッチ回路４６２へ出力する。かかる信号を受けて、スイッチ回路４６２は、第１の接点（記号（１））を共通端子（記号（３））に接続させる。また、各送信ドライバ４１７の動作は、タイムスロット毎にドアホン機器単位で制御される。この結果、ネットワーク機器からドアホン機器への情報送信の中継が行われる。
【０１１７】
なお、スイッチ回路４６２の接続状態によらず、受信したドアホンパケットは、全て受信データ処理部４１４へ出力される。この結果、ドアホン機器からネットワーク機器への情報送信の中継が行われる。
【０１１８】
なお、ドアホンシステム２００内の通信を行わない仕様の場合、あるいは、ドアホンシステム２００内での情報転送を、上述のように２線通信制御部４２０内で行う場合、第１の接点（記号（１））は、常に共通端子（記号（３））に接続させた状態に維持してもよい。
【０１１９】
＜ドアホン機器の構成＞
次に、ドアホン機器の構成について説明する。ここでは、ドアホン親機２１０の構成について説明する。
【０１２０】
図８は、ドアホン機器としてのドアホン親機２１０の構成の一例を示すブロック図である。
【０１２１】
図８において、ドアホン親機２１０は、２線ケーブル接続部７１１、受信ドライバ７１２、ルーティング制御部７１３、受信データ処理部７１４、送信データ処理部７１５、送信データ反転部７１６、および送信ドライバ７１７を有している。また、ドアホン親機２１０は、ドアホン制御部７２０、ディスプレイ部７３１、キー入力部７３２、音声Ｉ／Ｆ（インタフェース）部７３３、スピーカ７３４、およびマイク７３５を有している。
【０１２２】
なお、ドアホン親機２１０は、２線ケーブル接続部７１１、受信ドライバ７１２、および送信ドライバ７１７から成る組を、配線装置４００に接続された２線ケーブル２１１と、玄関子機２２０に接続された２線ケーブル２２１（図１参照）に対応して、２個有している。また、送信データ反転部７１６は、配線装置４００に接続された系統にのみ配置されているが、玄関子機２２０に接続された系統にも配置されていてもよい。
【０１２３】
２線ケーブル接続部７１１〜送信ドライバ７１７の各部の機能は、配線装置４００の２線ケーブル接続部４１１〜送信ドライバ４１７（図４参照）とほぼ同一であるため、これについての説明を省略する。但し、第１の２線ケーブル接続部７１１１の接続先は、配線装置４００であり、第２の２線ケーブル接続部７１１２の接続先は、玄関子機２２０である。
【０１２４】
ドアホン制御部７２０は、第１クロック生成部７２１、ドアホンパケット処理部７２２、接続状態検出部７２３、ドアホンパケット生成部７２７を有している。
【０１２５】
第１クロック生成部７２１〜ドアホンパケット生成部７２７は、配線装置４００の第１クロック生成部４２１、ドアホンパケット処理部４２２、接続状態検出部４２３、ドアホンパケット生成部４２７（図４参照）とほぼ同一であるため、これについての説明を省略する。但し、ドアホンパケット処理部７２２は、ドアホンパケットから取得されたユーザデータのうち、デジタル映像データについてはディスプレイ部７３１へ、デジタル音声データについては音声Ｉ／Ｆ部７３３へ、それぞれ出力する。また、ドアホンパケット生成部７２７は、キー入力部７３２から出力された応答信号、および、音声Ｉ／Ｆ部７３３から出力されたデジタル音声データを、ドアホンパケットに格納して送信データ処理部７１５へ出力する。
【０１２６】
ディスプレイ部７３１は、液晶ディスプレイを含み、ドアホン制御部７２０のドアホンパケット処理部７２２から出力されたデジタル映像データを再生し、玄関の映像を表示する。なお、かかるデジタル映像データが所定の動画圧縮処理を行って得られたデータである場合、ディスプレイ部７３１は、当該データに対して所定の動画伸張処理を行って、映像表示を行う。
【０１２７】
音声Ｉ／Ｆ部７３３は、ドアホン制御部７２０のドアホンパケット処理部７２２から出力されたデジタル音声データを、アナログ音声データに変換し、信号レベルを調整して、スピーカ７３４へ出力する。また、音声Ｉ／Ｆ部７３３は、マイク７３５から出力されたアナログ音声データを、信号レベルを調整し、デジタル音声データに変換して、ドアホン制御部７２０のドアホンパケット生成部７２７へ出力する。かかるアナログ／デジタル変換は、Ａ／Ｄ，Ｄ／Ａ変換器（図示せず）により行われる。
【０１２８】
キー入力部７３２は、応答ボタンを含み、応答ボタンが操作されたとき、その旨を示す応答信号を、ドアホン制御部７２０のドアホンパケット生成部７２７へ出力する。
【０１２９】
スピーカ７３４は、音声Ｉ／Ｆ部７３３から出力されたアナログ音声データを、音声に変換して出力する。
【０１３０】
マイク７３５は、周囲の音声を集音してアナログ音声データに変換し、音声Ｉ／Ｆ部７３３へ出力する。
【０１３１】
なお、音声Ｉ／Ｆ部７３３は、マイク７３５から出力されたアナログ音声データをデジタル変換したデータに対して、所定の音声圧縮処理を行って得られるデータを、デジタル音声データとしてドアホンパケット生成部７２７へ出力してもよい。また、音声Ｉ／Ｆ部７３３は、ドアホンパケット処理部７２２から出力されたデジタル音声データが所定の音声圧縮処理を行って得られたデータである場合、当該データに対して所定の音声伸張処理を行ってから、デジタル／アナログ変換を行う。
【０１３２】
なお、ドアホン親機２１０は、図示しないが、例えば、ＣＰＵ、制御プログラムを格納したＲＯＭ等の記憶媒体、ＲＡＭ等の作業用メモリ、および通信回路を有している。この場合、上記した各部の機能は、ＣＰＵが制御プログラムを実行する事により実現される。
【０１３３】
このような構成により、ドアホン親機２１０は、玄関子機２２０および配線装置４００のそれぞれとの間で、２線ケーブルの接続状態の正／逆によらず（見かけ上、極性のない状態で）、当該２線ケーブルを使用して、情報の送受信を行う事ができる。
【０１３４】
なお、ドアホン親機２１０は、玄関子機２２０の動作に関する制御データを、玄関子機２２０へ送信してもよい。かかる制御データには、例えば、玄関子機２２０のカメラ動作（データレート、パン、チルト、ライト、シャッター、およびフィルター等の動作）や玄関子機２２０に備えられた各種センサデバイスの動作を制御するための制御信号が含まれる。
【０１３５】
また、玄関子機２２０も、ドアホン親機２１０とほぼ同一の構成を有している。但し、玄関子機２２０は、デジタルカメラを含むカメラ部および呼出ボタンを含むキー入力部を有し、ディスプレイ部を有さず、ドアホン親機２１０に至る２線ケーブル２２１に接続する系統を有している。そして、玄関子機２２０は、呼出しボタンが操作されたとき、その旨を示す信号をドアホン親機２１０へ送信する。そして、玄関子機２２０は、玄関の映像を撮影して得られたデジタル映像データのドアホン親機２１０へ送信を開始し、ドアホン親機２１０から送られてきた音声データを音声に変換して出力する。
【０１３６】
＜２線ケーブルの無極性化＞
ここで、２線ケーブルを使用したデジタル通信の無極性化の仕組みについて説明する。
【０１３７】
図９は、２線ケーブル２１１または２線ケーブル２２１（以下、適宜「２線ケーブル」という）が、正接続の状態になっているときの様子を示す模式図である。図１０〜図１３は、２線ケーブルが逆接続の状態になっているときの様子を示す模式図である。
【０１３８】
なお、図９〜図１３において、２線ケーブルを使用したデジタル通信の無極性化に密接に関連する部分以外の部分については、図示を省略している。また、図９〜図１３において、配線装置４００および玄関子機２２０を、ドアホン親機２１０と２線ケーブルを介して接続する装置として、共通化して示している。但し、各部の符号は、配線装置４００およびドアホン親機２１０の各部の符号を付している。
【０１３９】
また、図９〜１３において、配線装置４００／玄関子機２２０およびドアホン親機２１０（以下、適宜「機器」と総称する）のそれぞれは、送信データ反転部および受信データ反転部を備えているものとする。送信データ反転部は、上述の通り、接続状態検出部から出力された反転制御信号（ＩＮＶ  ＣＯＮ）を入力し、かかる信号に従って、送信データ処理部から出力された送信信号を反転させて／反転させずに、送信ドライバへ出力する装置部である。また、受信データ反転部は、後述の通り（図１５参照）、接続状態検出部から出力された反転制御信号（ＩＮＶ  ＣＯＮ）を入力し、かかる信号に従って、受信ドライバから出力された受信信号を反転させて／反転させずに、受信データ処理部へ出力する装置部である。
【０１４０】
また、図９〜図１３において、送信データ反転部および受信データ反転部のうち、信号の反転を行わない状態（信号をそのままスルーさせる状態）のものは、破線で示している。また、図９〜図１３における２線ケーブル２１１／２２１の２つの線は、２線ケーブル２１１を構成する２本のケーブル、または、２線ケーブル２２１を構成する２本のケーブルを示す。
【０１４１】
図９に示すように、２線ケーブルが正接続となっている場合、２線ケーブルの両側の機器の間で極性は一致している。したがって、両方の機器は、ドアホン親機２１０へと向かう方向の信号（以下「上り信号」という）６３１およびドアホン親機２１０から相手先へと向かう方向の信号（以下「下り信号」という）６３２のいずれについても、信号反転を行う必要がない。したがって、各機器の全ての送信データ反転部４１６／７１６および受信データ反転部４１８／７１８は、信号反転を行わない。
【０１４２】
一方、図１０〜図１３に示すように、２線ケーブルが逆接続となっている場合、２線ケーブルの両側の機器の間で極性は逆転している。したがって、上り信号６３１および下り信号６３２の両方について、いずれかの機器において信号反転を行う必要がある。
【０１４３】
そこで、例えば、図１０に示すように、両方の機器において、接続状態検出部４２３／７２３により逆接続の検出を行い、逆接続が検出されたとき、送信データ反転部４１６／７１６が信号反転を開始する。この場合、各機器は、必ずしも受信データ反転部４１８／７１８を備える必要がない（図４および図８参照）。
【０１４４】
または、例えば、図１１に示すように、両方の機器において、逆接続が検出されたときに受信データ反転部４１８／７１８が信号反転を開始する。この場合、各機器は、必ずしも送信データ反転部４１６／７１６を備える必要がない。
【０１４５】
または、例えば、図１２および図１３に示すように、一方の機器のみにおいて、接続状態検出部４２３／７２３により逆接続の検出を行い、逆接続が検出されたとき、当該機器の送信データ反転部４１６／７１６および受信データ反転部４１８／７１８において、信号反転を開始する。この場合、他方の機器は、必ずしも接続状態検出部４２３／７２３、送信データ反転部４１６／７１６、および受信データ反転部４１８／７１８を備える必要がない。
【０１４６】
このように、通信システム１００は、２線ケーブルが逆接続状態にあるときにこれを検出する接続状態検出部と、かかる接続状態検出部の検出結果に応じて上り信号および下り信号の両方について、信号を反転させる送信データ反転部／受信データ反転部を備える。これにより、通信システム１００は、２線ケーブルによる接続を、実質的に無極性化することができる。
【０１４７】
＜装置の動作＞
次に、配線装置４００の動作について説明する。
【０１４８】
図１４は、配線装置４００の動作の一例を示すフローチャートである。
【０１４９】
ステップＳ１０１０において、通信管理部４５０は、ＬＡＮデータ処理部４４２において、所定のフォーマットのアプリパケットを格納したイーサフレームが受信されたか否かを判定する。通信管理部４５０は、該当するイーサフレームが受信された場合（Ｓ１０１０：ＹＥＳ）、処理をステップＳ１０２０へ進める。また、通信管理部４５０は、該当するイーサフレームが受信されていない場合（Ｓ１０１０：ＮＯ）、処理を後述のステップＳ１０５０へ進める。
【０１５０】
ステップＳ１０２０において、通信管理部４５０は、イーサフレームのデータ領域５２５（アプリパケット）のうち、アプリヘッダ領域５２７（図３参照）から、アプリパケットの宛先を判定する。
【０１５１】
ステップＳ１０３０において、通信管理部４５０は、アプリパケットの宛先から、ドアホン機器情報テーブル６１０（図５参照）に基づき、アプリデータ領域５２８に格納されたアプリデータを送出すべき２線ケーブル接続部４１１を判定する。
【０１５２】
ステップＳ１０４０において、通信管理部４５０は、配線装置４００の各部を制御し、アプリパケットからアプリデータを抽出し、ドアホンパケットに格納して、判定された２線ケーブル接続部４１１から送出するように、各部を制御する。
【０１５３】
ステップＳ１０５０において、通信管理部４５０は、ドアホンパケット処理部４２２において、ドアホンパケットが受信されたか否かを判定する。通信管理部４５０は、該当するドアホンパケットが受信された場合（Ｓ１０５０：ＹＥＳ）、処理をステップＳ１０６０へ進める。また、通信管理部４５０は、ドアホンパケットが受信されていない場合（Ｓ１０５０：ＮＯ）、処理を後述のステップＳ１１２０へ進める。
【０１５４】
ステップＳ１０６０において、通信管理部４５０は、受信されたドアホンパケットの情報種別から、ネットワーク機器情報テーブル６２０（図６参照）に基づき、ドアホンデータの宛先を判定する。
【０１５５】
ステップＳ１０７０において、通信管理部４５０は、ドアホンデータの宛先がドアホン機器であるか否かを判定する。通信管理部４５０は、宛先がドアホン機器である場合（Ｓ１０７０：ＹＥＳ）、処理をステップＳ１０８０へ進める。また、通信管理部４５０は、宛先がドアホン機器はない場合、つまり、宛先がネットワーク機器である場合（Ｓ１０７０：ＮＯ）、処理を後述のステップＳ１１００へ進める。
【０１５６】
ステップＳ１０８０において、通信管理部４５０は、ドアホンデータの宛先から、ドアホン機器情報テーブル６１０（図５参照）に基づき、ドアホンデータを送出すべき２線ケーブル接続部４１１を判定する。
【０１５７】
ステップＳ１０９０において、通信管理部４５０は、配線装置４００の各部を制御し、ドアホンデータを再びドアホンパケットに格納して、判定された２線ケーブル接続部４１１から送出するように、各部を制御する。
【０１５８】
ステップＳ１１００において、通信管理部４５０は、配線装置４００の各部を制御し、宛先の機器アプリを示すアプリヘッダ領域５２７を生成し、アプリデータ領域５２８にドアホンデータを格納して、アプリパケットを生成する。
【０１５９】
ステップＳ１１１０において、通信管理部４５０は、配線装置４００の各部を制御し、アプリパケットを格納したイーサフレームを生成して、宛先のネットワーク機器へ送信する。
【０１６０】
ステップＳ１１２０において、通信管理部４５０は、ユーザ操作等により処理の終了を指示されたか否かを判定する。通信管理部４５０は、処理の終了を指示されていない場合（Ｓ１１２０：ＮＯ）、処理をステップＳ１０１０へ戻す。また、通信管理部４５０は、処理の終了を指示された場合（Ｓ１１２０：ＹＥＳ）、一連の処理を終了する。
【０１６１】
このような動作により、配線装置４００は、ドアホンシステム２００からドアホンパケットが送られてくる毎に、また、パケット通信ネットワーク３００からイーサフレームが送られてくる毎に、格納された情報の転送を行う事ができる。
【０１６２】
例えば、配線装置４００は、第２のドアホン親機２１０２から、情報種別が「ドアホンシステム内通信」であって宛先を第Ｎのドアホン親機２１０Ｎとするドアホンパケットを受信したとする。この場合、配線装置４００は、受信したドアホンパケットのドアホンデータを格納したドアホンパケットを、第Ｎの２線ケーブル接続部４１１Ｎから送出する。このようにして、配線装置４００は、集合住宅内の内線通話を実現する（図１の矢印１０１）。
【０１６３】
また、例えば、配線装置４００は、外部管理装置３５０から、第２のドアホン親機２１０２を宛先とするアプリデータを格納したイーサフレームを受信したとする。この場合、配線装置４００は、受信したアプリデータを格納したドアホンパケットを、第２の２線ケーブル接続部４１１２から送出する。このようにして、配線装置４００は、外部管理装置３５０と第２のドアホン親機２１０２との間で通信の中継を行う（図１の矢印１０２）。
【０１６４】
なお、配線装置４００と各ネットワーク機器との間の接続呼は、例えば、ＳＩＰサーバーを用いて確立される。但し、パケット通信ネットワーク３００が小規模である場合、かかる接続呼は、接続機器のリストに基づき１対１のネゴシエーションを行う事によって確立されてもよい。
【０１６５】
なお、通信管理部４５０は、ネットワーク機器とドアホン機器との間、あるいは、ドアホン機器と他のドアホン機器との間で通信開始の要求とかかる要求に対する応答があった場合（接続確認がされた場合）に、該当する機器間の接続を確定してもよい。すなわち、通信管理部４５０は、機器間の情報転送の要否およびその転送ルートを、イーサフレームあるいはドアホンパケットの受信毎に判定するのではなく、判定結果を、対応する通信が終了するまで維持してもよい。
【０１６６】
以上説明したように、本実施の形態に係る配線装置４００は、１つまたは複数の２線ケーブル２１１を介して、複数のドアホン機器を含むドアホンシステム２００と接続する、２線通信網接続部（２線ケーブル接続部４１１〜送信ドライバ４１７、ドアホンパケット処理部４２２、接続状態検出部４２３、ドアホンパケット生成部４２７）を有している。また、配線装置４００は、ＬＡＮケーブル３１１（デジタル通信回線）を介して、パケット通信ネットワーク３００と接続する、デジタル通信網接続部（ＬＡＮケーブル接続部４３１〜ＬＡＮデータ処理部４４２）を有している。そして、配線装置４００は、パケット通信ネットワーク３００から送られてきたイーサフレーム（第１のパケット）を解析して、イーサフレームに格納されたアプリデータ（第１の情報）を送信すべきドアホン機器を判定し、判定されたドアホン機器へアプリデータを送信する通信制御部（２線通信制御部４２０、デジタル通信制御部４４０、通信管理部４５０）を有している。
【０１６７】
これにより、本実施の形態に係る配線装置４００は、２線ケーブルを使用したドアホンシステム２００の利便性を向上させる事ができる。
【０１６８】
＜装置構成の他の例＞
なお、配線装置４００の具体的構成は、上述の例に限定されるものではない。例えば、配線装置４００は、２線ケーブル接続部４１１毎に２線通信制御部４２０を有していてもよい。
【０１６９】
図１５は、配線装置の構成の他の一例を示すブロック図であり、図４に対応するものである。図４と同一部分については同一符号を付し、これについての説明を省略する。
【０１７０】
図１５において、配線装置４００は、第１〜第Ｎの２線ケーブル接続部４１１１〜４１１Ｎに対応して、デジタル通信制御部４４０に対して並列に接続された第１〜第Ｎの２線通信ブロック８１０１〜８１０Ｎを有している。
【０１７１】
２線通信ブロック８１０は、それぞれ、図４に示す２線ケーブル接続部４１１、受信ドライバ４１２、受信データ処理部４１４〜送信ドライバ４１７および２線通信制御部４２０を有し、更に、受信データ反転部４１８を有している。配線装置４００は、図４の通信管理部４５０に代えて、２線通信制御部４２０毎に配置されたドアホン側通信管理部４５１と、デジタル通信制御部４４０に配置されたネットワーク側通信管理部４５２とを有している。また、配線装置４００は、図４のルーティング制御部４１３を有していない。
【０１７２】
各２線通信ブロック８１０のアプリデータ生成部４２４およびアプリデータ再生部４２６は、共通のアプリデータバス４２５を介してデジタル通信制御部４４０のＬＡＮデータ処理部４４２と接続されている。各２線通信ブロック８１０において、受信ドライバ４１２の出力側および受信データ処理部４１４の入力側は、受信データ反転部４１８に接続されており、送信データ処理部４１５の出力側および送信ドライバ４１７の入力側は、送信データ反転部４１６に接続されている。
【０１７３】
受信データ反転部４１８は、接続状態検出部４２３から出力された反転制御信号（ＩＮＶ  ＣＯＮ）を入力し、かかる信号に従って、受信ドライバ４１２から出力された受信信号を反転させて／反転させずに、受信データ処理部４１４へ出力する。
【０１７４】
なお、このような受信データ反転部４１８を備える場合、必要な極性判定処理は全て配線装置４００側で行う事ができるため、ドアホン親機２１０の接続状態検出部７２３および送信データ反転部７１６は不要とする事ができる。あるいは、ドアホン親機２１０の送信データ反転部７１６を、送信信号の反転を行わない状態に固定する事ができる。
【０１７５】
第１〜第Ｎの２線通信ブロック８１０１〜８１０Ｎに備えられたＮ個のドアホン側通信管理部４５１およびネットワーク側通信管理部４５２は、管理用データバス４５３を介して、通信可能に接続されている。ドアホン側通信管理部４５１は、図４の通信管理部４５０の機能のうち、少なくとも２線ケーブル接続部４１１に接続されたドアホン機器に関する機能を発揮すると共に、必要な情報をネットワーク側通信管理部４５２へ通知する。また、ネットワーク側通信管理部４５２は、図４の通信管理部４５０の機能のうち、少なくともネットワーク機器に関する機能を発揮すると共に、必要な情報を各ドアホン側通信管理部４５１へ通知する。
【０１７６】
すなわち、第１〜第Ｎの２線通信ブロック８１０１〜８１０Ｎに備えられたＮ個のドアホン側通信管理部４５１、ネットワーク側通信管理部４５２、および管理用データバス４５３は、全体として、図４の通信管理部４５０と同じ機能を発揮する。
【０１７７】
かかる構成によれば、配線装置４００は、複数のドアホン親機２１０に対して、ドアホンパケットの送信／受信処理を同時に行う事ができ、更に、かかるドアホンパケットを、ドアホン親機２１０毎に異なる内容とする事ができる。なお、図４の構成は、図１５の構成に比べて、装置規模が小さくて済み、装置の小型化や低コスト化を図れるというメリットを有している。
【０１７８】
また、配線装置４００の他の構成として、アプリデータ生成部４２４とアプリデータ再生部４２６とを１つの装置部として纏める事も可能である。
【０１７９】
＜システム構成の他の例＞
また、通信システム１００の具体的構成についても、上述の例に限定されるものではない。例えば、通信システム１００は、複数の配線装置４００を有していてもよい。
【０１８０】
図１６は、通信システム１００の構成の他の一例を示すシステム構成図であり、図１に対応するものである。図１と同一部分については同一符号を付し、これについての説明を省略する。
【０１８１】
図１６において、通信システム１００は、第１のＬＡＮケーブル３１１１を介してパケット通信ネットワーク（図示せず）に接続された第１の配線装置４００１と、第２のＬＡＮケーブル３１１２を介して同様にパケット通信ネットワークに接続された第２の配線装置４００２とを有している。
【０１８２】
第１の配線装置４００１および第２のＬＡＮケーブル３１１２は、第３のＬＡＮケーブル３１１３により互いに接続されている。第１の配線装置４００１には、第１−１〜第１−Ｎの２線ケーブル２１１１−１〜２１１１−Ｎを介して、第１−１〜第１−Ｎのドアホン親機２１０１−１〜２１０１−Ｎが接続されている。第２の配線装置４００２には、第２−１〜第２−Ｍの２線ケーブル２１１２−１〜２１１２−Ｍを介して、第２−１〜第２−Ｍのドアホン親機２１０２−１〜２１０２−Ｍが接続されている。なお、玄関子機２２０および２線ケーブル２２１については、図示および説明を省略する。
【０１８３】
各配線装置４００は、図示しないが、複数のＬＡＮケーブル接続部４３１を有しており、ＬＡＮケーブル毎に通信を行う。すなわち、各配線装置４００は、他の配線装置４００をパケット通信ネットワークのネットワーク機器とみなし、他の配線装置４００と通信を行う。これにより、通信システム１００は、複数の配線装置４００をカスケード接続する事ができ、例えば、ドアホンシステム２００の規模が大きい場合に、処理負荷を複数の配線装置４００に分散させる事ができる。
【０１８４】
＜本実施の形態の他の変形例＞
なお、以上説明した実施の形態では、各ドアホン親機２１０に接続されるドアホン機器が玄関子機２２０のみの場合について説明したが、各ドアホン親機２１０には、玄関子機２２０の他に、増設モニタ等の他の各種オプション機器を接続してもよい。なお、玄関子機２２０の他にオプション機器を接続する場合、図８の２線ケーブル接続部７１１、受信ドライバ７１２、送信データ反転部７１６、および送信ドライバ７１７から成る組の数は、増える事になる。
【０１８５】
また、配線装置４００が通信を行うドアホン機器およびネットワーク機器は、上述の例に限定されない。例えば、図１５の場合、配線装置４００が通信を行うドアホン機器は、玄関子機２２０や増設モニタであってもよい。また、図４および図１５の両方の場合において、配線装置４００が通信を行うドアホン機器およびネットワーク機器は、集合住宅の居住者が使用するスマートフォンであってもよい。
【０１８６】
また、配線装置４００が接続するデジタル通信回線およびパケット通信ネットワークは、上述の例に限定されない。例えば、配線装置４００が接続するデジタル通信回線は、ＬＴＥ（Long Term Evolution）等のデジタル無線通信回線であってもよいし、パケット通信ネットワークは、携帯電話網であってもよい。
【０１８７】
また、配線装置４００の構成の一部は、配線装置４００の構成の他の部分と物理的に離隔していてもよい。この場合、それらの離隔した複数の部分は、互いに通信を行うための通信部をそれぞれ備える必要がある。
【０１８８】
＜本開示のまとめ＞
本開示の配線装置は、１つまたは複数の２線ケーブルを介して、複数のドアホン機器を含むドアホンシステムと接続する２線通信網接続部と、デジタル通信回線を介して、パケット通信ネットワークと接続するデジタル通信網接続部と、前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信する通信制御部と、を有する。
【０１８９】
なお、上記配線装置において、前記パケット通信ネットワークは、複数のネットワーク機器を含み、前記通信制御部は、前記ドアホン機器から送られてきた第２のパケットを解析して、前記第２のパケットに格納された第２の情報を送信すべき前記ネットワーク機器を判定し、判定された前記ネットワーク機器へ前記第２の情報を送信してもよい。
【０１９０】
また、上記配線装置において、前記２線通信網接続部は、前記複数のドアホン機器のそれぞれとの間で、送信区間と受信区間とを時分割で切り替え、かつ、前記２線ケーブルの極性を周期的に反転させる事により前記２線ケーブルを使用したデジタル伝送を行ってもよい。
【０１９１】
また、上記配線装置において、前記第１のパケットは、前記第１の情報の宛先を記述し、前記２線通信網接続部は、前記複数の２線ケーブルのそれぞれに個別に接続し、前記通信制御部は、前記２線ケーブル毎に前記２線ケーブルを使用した通信を制御して、前記第１の情報を、前記第１の情報の前記宛先に接続された前記２線ケーブルへと送出してもよい。
【０１９２】
また、上記配線装置において、前記第１のパケットは、イーサネット（登録商標）パケットであり、前記通信制御部は、前記第１のパケットのデータ領域が所定のフォーマットのアプリヘッダ領域およびアプリデータ領域から構成されるとき、前記アプリデータ領域の情報を、前記第１の情報として、前記アプリヘッダ領域が示す宛先に接続された前記２線ケーブルへ送出してもよい。
【０１９３】
また、上記配線装置において、前記通信制御部は、前記第２の情報に対応して、所定のフォーマットのアプリヘッダ領域およびアプリデータ領域をデータ領域に格納したイーサネット（登録商標）パケットを生成して前記デジタル通信回線へ送出し、前記アプリヘッダ領域に、前記第２の情報の送信元を示す情報を記述し、前記アプリデータ領域に、前記第２の情報を格納してもよい。
【０１９４】
また、上記配線装置において、前記通信制御部は、前記第２のパケットの受信が前記複数の２線ケーブルの間において時分割で行われるように、前記２線ケーブルを使用した通信を制御してもよい。
【０１９５】
また、上記配線装置において、前記通信制御部は、前記２線ケーブル毎に設けられ、前記第１の情報の送信および前記第２のパケットの受信を行う複数の２線通信制御部と、前記第１のパケットの受信および前記第２の情報の送信を行うデジタル通信制御部と、前記複数の２線通信制御部と前記デジタル通信制御部との間における、前記第１の情報および前記第２の情報の転送を制御する通信管理部と、を有してもよい。
【０１９６】
また、上記配線装置において、前記２線通信網接続部は、前記２線ケーブル毎に、送信ドライバおよび受信ドライバを有し、前記通信制御部は、前記送信ドライバの動作および前記受信ドライバの動作を制御してもよい。
【０１９７】
また、上記配線装置において、前記２線通信網接続部は、前記２線ケーブルを介して送られてきた受信信号に、前記２線ケーブルが正接続となっている場合に前記受信信号から抽出されるシンクパターンである正接続チェック用シンクパターンが含まれているか否か、および／または、前記受信信号に、前記２線ケーブルが逆接続となっている場合に前記受信信号から抽出されるシンクパターンである逆接続チェック用シンクパターンが含まれているか否か、の判定を行い、前記判定の結果に応じて、前記判定の後に前記２線ケーブルを介して送られてきた受信信号に対する反転処理、および／または、前記判定の後に前記２線ケーブルに送出する送信信号に対する反転処理、を行ってもよい。
【０１９８】
本開示の通信制御方法は、１つまたは複数の２線ケーブルを介して、複数のドアホン機器を含むドアホンシステムと接続する配線装置における通信制御方法であって、デジタル通信回線を介して、パケット通信ネットワークと接続するステップと、前記パケット通信ネットワークから送られてきた第１のパケットを解析して、前記第１のパケットに格納された第１の情報を送信すべき前記ドアホン機器を判定し、判定された前記ドアホン機器へ前記第１の情報を送信するステップと、を有する。
【産業上の利用可能性】
【０１９９】
本開示に係る配線装置および通信制御方法は、２線ケーブルを使用したドアホンシステムの利便性を向上させる事ができる配線装置および通信制御方法を提供する事でとして有用である。
【符号の説明】
【０２００】
１００  通信システム
２００  ドアホンシステム
２１０  ドアホン親機
２１１、２２１  ２線ケーブル
２２０  玄関子機
３００  パケット通信ネットワーク
３１１、３２１、３３１、３４１  ＬＡＮケーブル
３１０  スイッチングハブ
３２０  ロビーステーション
３３０  管理人用電話機
３４０  内部管理装置
３５０  外部管理装置
３５１  インターネット
３５２  ルータ
４００  配線装置
４１１、７１１  ２線ケーブル接続部
４１２、７１２  受信ドライバ
４１３、７１３  ルーティング制御部
４１４、７１４  受信データ処理部
４１５、７１５  送信データ処理部
４１６、７１６  送信データ反転部
４１７、７１７  送信ドライバ
４１８、７１８  受信データ反転部
４２０  ２線通信制御部
４２１、７２１  第１クロック生成部
４２２、７２２  ドアホンパケット処理部
４２３、７２３  接続状態検出部
４２４  アプリデータ生成部
４２５  アプリデータバス
４２６  アプリデータ再生部
４２７、７２７  ドアホンパケット生成部
４３１  ＬＡＮケーブル接続部
４３２  ＬＡＮ送受信ドライバ
４３３  イーサＰＨＹ部
４４０  デジタル通信制御部
４４１  イーサＭＡＣ部
４４２  ＬＡＮデータ処理部
４５０  通信管理部
４６１  論理和回路
４６２  スイッチ回路
７２０  ドアホン制御部
７３１  ディスプレイ部
７３２  キー入力部
７３３  音声Ｉ／Ｆ部
７３４  スピーカ
７３５  マイク
４５３  管理用データバス
８１０  ２線通信ブロック
【図１】
2017201740.tif 000003
【図２】
2017201740.tif 000004
【図３】
2017201740.tif 000005
【図４】
2017201740.tif 000006
【図５】
2017201740.tif 000007
【図６】
2017201740.tif 000008
【図７】
2017201740.tif 000009
【図８】
2017201740.tif 000010
【図９】
2017201740.tif 000011
【図１０】
2017201740.tif 000012
【図１１】
2017201740.tif 000013
【図１２】
2017201740.tif 000014
【図１３】
2017201740.tif 000015
【図１４】
2017201740.tif 000016
【図１５】
2017201740.tif 000017
【図１６】
2017201740.tif 000018